(57)【要約】【課題】チェン伝動ケースの前方に藁除去用のディスクを設けるが該ディスクと伝動ケースの間に堆積して溜まり易く、ディスクの回転を阻害し、却って藁の堆積を助長してディスクを追加した効果が期待できない。【解決手段】耕耘部の一側に耕耘軸（１０）の一端側を支持し該耕耘軸（１０）を回転連動する伝動機構を内装した伝動ケース（１１）を設け、この伝動ケース（１１）の前側に支持フレーム（２１）を設け、この支持フレーム（２１）に前端縁が後端縁に対して耕耘部外方に位置すべく平面視で傾斜し横軸回りに回転するディスク（２４）を設け、このディスク（２４）の回転中心近傍位置から伝動ケース（１１）下端近傍位置に渡って棒状又は板体からなり前記支持フレーム（２１）に支持され又は伝動ケース（１１）下端側に支持される藁類侵入防止体（２５，２５Ａ，２５Ｂ，２５Ｃ）を設ける。【選択図】 図２
2008136385.tif 000002
【特許請求の範囲】
【請求項１】
耕耘部の一側に耕耘軸（１０）の一端側を支持し該耕耘軸（１０）を回転連動する伝動機構を内装した伝動ケース（１１）を設け、この伝動ケース（１１）の前側に支持フレーム（２１）を設け、この支持フレーム（２１）に前端縁が後端縁に対して耕耘部外方に位置すべく平面視で傾斜し横軸回りに回転するディスク（２４）を設け、このディスク（２４）の回転中心近傍位置から伝動ケース（１１）下端近傍位置に渡って棒状又は板体からなり前記支持フレーム（２１）に支持され又は伝動ケース（１１）下端側に支持される藁類侵入防止体（２５，２５Ａ，２５Ｂ，２５Ｃ）を設けてなるロータリ耕耘装置。
【発明の詳細な説明】
【技術分野】
【０００１】
本発明は、圃場に散在する藁屑類の堆積による詰まりをなくしたロータリ耕耘装置に関する。
【背景技術】
【０００２】
従来、耕耘装置の横側方を覆うサイドカバーの前部を円弧状に切り欠き、ディスクを設け、このディスクの向きを操作ハンドルで向き変更可能に構成している。そして、排藁の多い圃場においては、ディスクを外向きとし、ディスクの前縁部が土や排藁等を内側へ移送しながらこれらを耕耘装置に導き、かつチェンケースの通過部を予め掘り起こす。このため、排藁が多いときにこれらが藁がチェンケースの前部に引っかかってこれが既耕地を引きずり圃場にくぼみを生じたり、藁の塊が生じることを防止する技術が公知である（特許文献１）。
【特許文献１】実開昭６３−１５５３０２号公報
【発明の開示】
【発明が解決しようとする課題】
【０００３】
しかしながら、上記公知公報のものは、ディスクで押さえ込んだ藁がチェンケースで押され、隙間に溜まり易く、こうして藁が溜まるとディスクが回転しなくなり、却って藁の堆積を助長してディスクを追加した効果が期待できない。
【０００４】
そこで、本発明は、チェンケース前部に溜まり難くすることによって当初の効果を発揮させようとするものである。
【課題を解決するための手段】
【０００５】
上記に鑑み、請求項１に記載の発明は、耕耘部の一側に耕耘軸（１０）の一端側を支持し該耕耘軸（１０）を回転連動する伝動機構を内装した伝動ケース（１１）を設け、この伝動ケース（１１）の前側に支持フレーム（２１）を設け、この支持フレーム（２１）に前端縁が後端縁に対して耕耘部外方に位置すべく平面視で傾斜し横軸回りに回転するディスク（２４）を設け、このディスク（２４）の回転中心近傍位置から伝動ケース（１１）下端近傍位置に渡って棒状又は板体からなり前記支持フレーム（２１）に支持され又は伝動ケース（１１）下端側に支持される藁類侵入防止体（２５，２５Ａ，２５Ｂ，２５Ｃ）を設けてなるロータリ耕耘装置の構成とする。
【０００６】
ロータリ耕耘装置（１）による耕耘作業を開始すると、耕耘部の耕耘爪（１３，１３…）が回転し土壌は耕耘される。伝動ケース（１１）の前方において、ディスク（２４）は回転しながらその傾斜姿勢で土や藁を内側へ寄せて耕耘部に導き、伝動ケース（１１）の通過前側の藁を除き、伝動ケース（１１）の通過を容易にする。
【発明の効果】
【０００７】
ディスク（２４）に連れ回りながら該ディスク（２４）の外側付近に藁が堆積し、やがて伝動ケース（１１）とディスク（２４）後縁との間に溜まろうとするが、該ディスク（２４）と伝動ケース（１１）との間に藁類侵入防止体（２５）が設けられているから、溜まろうとする藁類が外方から耕耘部へ侵入することを防ぎ藁溜まりを無くして、耕耘作業を継続できる。
【発明を実施するための最良の形態】
【０００８】
上記技術思想に基づき具体的に構成された実施の形態について以下に図面を参照しつつ本発明に係る耕耘装置について説明する。 
以下、図面に基づいて、この発明の実施例を説明する。まず、構成から説明すると、図１に示す符号１は従来周知のロータリ耕耘装置で、トラクタ２機体後部に３点リンク機構を構成するロアリンク３，３とトップリンク４とで連結され、リフトアーム５，リフトロッド６の昇降連動によって昇降可能に設けられている。
【０００９】
上記ロータリ耕耘装置１は、耕耘軸１０が伝動チェン等を内装する伝動ケース１１及びサイドプレート１２との間に支持して設けられる所謂サイドドライブ形態とし、この耕耘軸１０の周囲には多数の耕耘爪１３，１３を配設して耕耘部を構成する。耕耘部の上方は上面カバー１４、後面はこの上面カバー１４の後端部に回動自在に設けたリヤカバー１５、側面は耕耘軸１０の左右側方を覆う側面カバー１６，１６によって囲われている。なお、側板カバー１６につき、伝動ケース１１と重ねて装着されたロータリ枠組一部を構成する主側面カバー１６ａと、伝動ケース１１後部において該主側面カバー１６ａに装着されて耕耘土壌の飛散を阻止する副側面カバー１６ｂとからなっている。
【００１０】
前記ロータリ耕耘装置１の上部中央にはギヤ伝動ケース１７を設け、トラクタ２後部に突出させて設けるＰＴＯ軸１８の回転駆動力が入力軸１９を介してギヤ伝動ケース１７内伝動ギヤ群（図示せず）に伝動されるべく構成する。そして、該ギヤ伝動ケース１７内伝動ギヤ群を介して前記伝動ケース１１内伝動機構に伝達すべく構成する。
【００１１】
前記伝動ケース１１の下部には、前方に向けて支持フレーム２１を設ける。即ち、前記主側面カバー１６ａの前部であって伝動ケース１１よりも前側に露出する部分にボルト２２，２２止めし、その前側を平面視で耕耘部から遠ざかる外方に向け折曲形成して設けている。
【００１２】
そして、この支持プレート２１の前側に横軸２３を介して椀型のディスク２４を、前端縁が後端縁に対して耕耘部外方に位置すべく平面視で傾斜して設ける。もって、なお、ディスク２４の下端は標準耕耘作業姿勢において、伝動ケース１１の下端側に被せた補強板１１ａの下端と略同高さに設定している。したがって、上記傾斜と相まって伝動ケース１１の左右幅に渡ってディスク２４が土中に作用し得る構成となっている。上記横軸２３は大小２段の段付ボルト形態で、ディスク２４中心のボス部２４ａを貫通し細径部に支持フレーム２１の通孔２１ａを貫通してナット２３ａで締結することによって該ディスク２４は遊転支持されている。
【００１３】
前記ディスク２４の横軸２３部近傍から伝動ケース１１の下端部近傍に渡って棒状の藁類侵入防止体２５を設ける。該藁類侵入防止体２５は、前記支持フレーム２１の前側下部にボルト止めされるスクレーパ用ブラケット２６に溶接手段によって一体構成されていて、前記ディスク２４の回転中心近傍位置から伝動ケース１１の補強板１１ａ下端部近傍位置に渡って配置される。即ち、棒状の藁類侵入防止体２５前端は湾曲させて前記ボス部２４ａの下半部を囲うよう延出し、後端は伝動ケース１１下部の補強板１１ａの最下端まで延出させてなる。このように構成された藁類侵入防止体２５は、伝動ケース１１とディスク２４後縁との間に形成される間隔部２７を塞ぎ状に設けられる。
【００１４】
前記スクレーパ用ブラケット２６には、ディスク２４の凸側湾曲表面に接近する縁部２８をもって、ディスク２４の付着土を掻き落とすスクレーパを構成している。
上例のロータリ耕耘装置１による耕耘作業を開始すると、耕耘部の耕耘爪１３，１３…が回転し土壌は耕耘される。伝動ケース１１の前方において、ディスク２４は自転しながら前縁部で土や藁を内側へ寄せて耕耘部に導くと共に、伝動ケース１１の通過前側を予め掘り起こして、伝動ケース１１の通過を容易にする。
【００１５】
ところで、ディスク２４に連れ回りながらディスク２４の外側付近に藁が堆積し、やがてディスク２４が回らなくなり、伝動ケース１１とディスク２４後縁との間に形成される間隔部２７に溜まろうとするが、本実施例では該ディスク２４と伝動ケース１１との間隔部２７に棒状の藁類侵入防止体２５が設けられているから、間隔部２７に溜まろうとする藁類の外側から耕耘部への侵入を防ぎ藁溜まりを抑制できる。
【００１６】
なお、棒状の藁類侵入防止体２５前端はディスク２４の回転中心近傍にあるため、藁がディスク２４に最も強く押し込まれる位置に上記前端を位置させることで前端への藁の巻き付きを極力防止できる効果があり、また、該藁類侵入防止体２５前端は湾曲させて前記ボス部２４ａの下半部を囲うよう延出させているため、湾曲形状によって藁の引っかかりを少なくでき後方への流れを円滑になし得る。
【００１７】
一方棒状の藁類侵入防止体２５の後端を伝動ケース１１の下端まで延長させたことにより、藁侵入防止効果を伝動ケース１１の下端まで作用させることができる。
前記ディスク２４は土中への作用に伴って回転し、土が付着するが、スクレーパ用縁部２８で掻き落とすことができ、土付着によるディスク２４の回転阻害を来たさず、土寄せ性能を良好に継続させることができる。また、このスクレーパ用縁部２８を形成するブラケット２６に棒状の藁類侵入防止体２５を取り付けてなるからブラケット２６部分を兼用できて構成の簡素化による藁類の引っ掛かりをなくすると共にコストダウンとなる。
【００１８】
図6，７は藁類侵入防止体の第２の実施例を示すもので、板体で構成し支持プレート２１と相俟って側面視において間隔部２７の大部分を覆う構成としている。具体的には、前記主側面カバー１６ａに藁類侵入防止体２５Ａ部分を一体成形し、その前端はＲ形状に成形して前記ボス部２４ａの下半部を囲うようになし、後端は伝動ケース１１の補強板１１ａ下端部近傍位置に至る形状としている。
【００１９】
また、図８，９の第３の実施例の場合は、藁類侵入防止体２５Ｂを前記伝動ケース１１の下部に被せる補強板１１ａと一体的に成形するものである。
図６〜図９のように構成すると、藁類侵入防止体２５Ａ，２５Ｂを支持プレート２１と相俟って側面視において前記間隔部２７の大部分を覆うことができ、藁類の侵入を略完全に防止できる効果がある。なお、主側面カバー１６ａや補強板１１ａと一体成形することができ各別の取り付け構成を必要としないで製作、組み付け作業を簡素化できる。
【００２０】
上記の場合は、主側面カバー１６ａや補強板１１ａを利用して藁類侵入防止体２５Ａ，２５Ｂを形成したが、伝動ケース１１のケース用プレート部材を延長して形成してもよい。
【００２１】
さらに図１０，１１は前記支持フレーム２１を延長し、上下幅のやや狭い藁類侵入防止体２５Ｃを一体的に形成する第４の実施例構成である。第１の実施例と同様に支持プレート２１の着脱のみでディスク２４及び藁類侵入防止体２５を一挙に着脱できて組立て作業やメンテナンス作業に便利である。
【００２２】
以上の実施例では、ディスク２４の回転は横軸２３に遊転状態に設けて土中に一部侵入して牽引されることで自転する構成とし藁類を押し込み可能に構成したが、ディスク２４を支持する横軸２３を駆動力を伝達しディスク２４を強制回転させることによって藁類の切断、押し込み作用を向上させる構成としてもよい。また、棒状の藁類侵入防止体２５を伝動ケース１１側に取り付ける構成、例えば補強板１１ａに溶接固定するなど、としてもよい。
【００２３】
図１２，１３は参考例を示し、伝動ケース１１の外方に耕耘軸１０と同芯の軸３０に回転円板３１を設けてなる。該回転円板３１の外径は、伝動ケース１１の下端よりやや下方に作用し、かつ耕耘爪１３回転軌跡Ｚ外周よりも短径に設定している。このように構成すると、伝動ケース１１の外側近傍の藁、特に絡み付きによって堆積しようとする藁塊を押し込んでほぐし、伝動ケース１１による堆積藁類の押し込みを防止できる。なお、回転円板３１は駆動形態でもよく軸３０に遊転としてもよい。このような回転円板３１を前記ディスク２４や藁類侵入防止体２５と並設することによって、藁の塊化を防ぐことができる。
【図面の簡単な説明】
【００２４】
【図１】全体側面図
【図２】ロータリ耕耘装置の側面図
【図３】ロータリ耕耘装置の平面図
【図４】ディスクの拡大断面図
【図５】ディスク装着状態を示す斜視図
【図６】第２実施例を示すロータリ耕耘装置の側面図
【図７】第２実施例を示すロータリ耕耘装置一部の平面図
【図８】第３実施例を示すロータリ耕耘装置の側面図
【図９】第３実施例を示すロータリ耕耘装置一部の平面図
【図１０】第４実施例を示すロータリ耕耘装置の側面図
【図１１】第４実施例を示すロータリ耕耘装置の平面図
【図１２】参考例を示すロータリ耕耘装置の側面図
【図１３】参考例を示すロータリ耕耘装置の平面図
【符号の説明】
【００２５】
１  ロータリ耕耘装置
２  トラクタ
１０  耕耘軸
１１  伝動ケース
２１  支持フレーム
２４  ディスク
２５  藁類侵入防止体
２５Ａ  藁類侵入防止体
２５Ｂ  藁類侵入防止体
２５Ｃ  藁類侵入防止体
【図１】
2008136385.tif 000003
【図２】
2008136385.tif 000004
【図３】
2008136385.tif 000005
【図４】
2008136385.tif 000006
【図５】
2008136385.tif 000007
【図６】
2008136385.tif 000008
【図７】
2008136385.tif 000009
【図８】
2008136385.tif 000010
【図９】
2008136385.tif 000011
【図１０】
2008136385.tif 000012
【図１１】
2008136385.tif 000013
【図１２】
2008136385.tif 000014
【図１３】
2008136385.tif 000015